(57)【要約】   【課題】  設備投資を最小限にし、また、電波資源を効率よく利用できる。  【解決手段】  マルチキャスト可能な比較的帯域の小さなページャ網１１と、画像を含むデータを送受信するために比較的帯域の大きなＩＰ網１０の双方が利用される。携帯端末１６の位置情報を記憶する位置データベースを備えたデータセンタ１４のサーバ５０は、定期的に、ページャ網１１を介して、マルチキャストによって携帯端末１６を呼び出す。携帯端末１６は、ページャ網１１を介した呼び出しを受信すると、自己の位置を特定する情報を、ＩＰ網１０を介して、サーバ５０に送信する。サーバ５０は、端末を特定する情報とともに、最新の端末の位置を、位置データベースに記憶し、携帯端末１６に対して、データを送信する必要がある場合に、位置データベースを参照して、送信先の携帯端末の最新の位置を特定し、データを、ＩＰ１０網を介して送信する。【選択図】  図１
2006094063.tif 000002
【特許請求の範囲】
【請求項１】
マルチキャスト可能な比較的帯域の小さな第１の網と、画像を含むデータを送受信するために比較的帯域の大きな第２の網を利用したデータ通信方法であって、
携帯端末の位置情報を記憶する位置データベースを備えたデータセンタのサーバにおいて、定期的に、前記第１の網を介して、マルチキャストによって携帯端末を呼び出すステップと、
前記携帯端末において、第１の網を介した呼び出しを受信すると、自己の位置を特定する情報を、前記第２の網を介して、前記サーバに送信するステップと、
前記サーバにおいて、前記端末を特定する情報とともに、最新の端末の位置を、前記位置データベースに記憶するステップと、
前記サーバにおいて、前記携帯端末に対して、データを送信する必要がある場合に、前記位置データベースを参照して、送信先の携帯端末の最新の位置を特定するステップと、
前記データを、前記第２の網を介して送信するステップと、を備えたことを特徴とするデータ通信方法。
【請求項２】
前記第２の網には、携帯端末と無線通信するアクセスポイントが含まれ、
さらに、アクセスポイントにおいて、前記携帯端末の位置を特定する情報とともに、前記アクセスポイントを特定する情報を、前記第２の網を介して、前記サーバに送信するステップを備えたことを特徴とする請求項１に記載の方法。
【請求項３】
前記サーバにおいて、第１の網を介して、前記マルチキャストによって携帯端末にデータを取得させるための情報を送信するステップと、
前記携帯端末において、前記第１の網を介して前記データを取得させるための情報を受信すると、データ取得要求を、前記第２の網を介して、前記サーバに送信するステップと、
前記サーバにおいて、前記携帯端末において、前記データを、前記第２の網を介して送信するステップと、を有することを特徴とする請求項１または２に記載の方法。
【請求項４】
前記サーバが、画像データを記憶する画像データベースを備え、
前記携帯端末と予め関連付けられた施設から、第２の網を介して、画像データを受信するステップと、
前記画像データを前記画像データベースに記憶するステップと、
前記位置データベースを参照して、前記画像データを送信した施設に関連付けられた携帯端末の最新の位置を特定するステップと、
前記特定された位置に宛てて、前記画像データベースに記憶された画像データを、前記第２の網を介して送信するステップと、を備えたことを特徴とする請求項１ないし３の何れか一項に記載の方法。
【請求項５】
前記第１の網がページャ網であることを特徴とする請求項１ないし４の何れか一項に記載の方法。
【請求項６】
前記第２の網がＩＰ網であることを特徴とする請求項１ないし５の何れか一項に記載の方法。
【請求項７】
前記第２の網が携帯電話網であることを特徴とする請求項１ないし５の何れか一項に記載の方法。
【請求項８】
マルチキャスト可能な比較的帯域が小さな第１の網、および、画像を含むデータを受信するための比較的帯域の大きな第２の網と通信可能な携帯端末であって、
サーバからの前記第１の網を介したマルチキャストによる呼び出しを受信するマルチキャスト受信手段と、
前記マルチキャスト受信手段による呼び出しに応答して、自己の位置を特定する情報を、前記第２の網を介して、前記サーバに送信する位置情報送信手段と、
前記サーバから、前記位置を特定する情報に基づいて、第２の網を介して送信された前記データを受信するデータ受信手段と、を備えたことを特徴とする携帯端末。
【請求項９】
前記マルチキャスト受信手段が、前記第１の網を介して、前記サーバから、データを取得させるための情報を受信するように構成され、さらに、
前記データ取得を求める情報の受信に応答して、データ取得要求を、前記第２の網を介して、前記サーバに送信するデータ取得要求送信手段を備えたことを特徴とする請求項８に記載の携帯端末。
【請求項１０】
マルチキャスト可能な比較的帯域が小さな第１の網、および、画像を含むデータを送受信するために比較的帯域の大きな第２の網と通信可能なサーバであって、
定期的に、前記第１の網を介して、マルチキャストによって携帯端末を呼び出す端末呼び出し手段と、
前記携帯端末から、第２の網を介して、当該携帯端末の位置を特定する情報を受信する位置情報受信手段と、
前記受信した位置を特定する情報を記憶する位置データベースと、
データを送信する必要がある場合に、前記位置データベースを参照して、送信先の携帯端末の最新の位置を特定する位置特定手段と、
前記特定された位置に宛てて、前記データを、第２の網を介して送信するデータ送信手段と、を備えたことを特徴とするサーバ。
【請求項１１】
さらに、前記第１の網を介して、マルチキャストによって携帯端末に、データを取得させるための情報を送信する情報送信手段と、
携帯端末からの前記第２の網を介したデータ取得要求を受信するデータ取得要求受信手段と、を備えたことを特徴とする請求項１０に記載のサーバ。
【請求項１２】
さらに、画像データを記憶する画像データベースと、
前記携帯端末と予め関連付けられた施設から、第２の網を介して画像データを受信し、画像データベースに格納する画像データ受信手段とを備え、
前記画像データ受信手段により画像データが受信されると、前記位置特定手段が、関連する携帯端末の最新の位置を特定し、前記データ送信手段が、前記特定された位置に宛てて、前記画像データを、前記第２の網を介して送信することを特徴とする請求項１０または１１に記載のサーバ。
【発明の詳細な説明】
【技術分野】
【０００１】
本発明は、携帯端末に必要なデータを通信する方法、携帯端末との間でデータを送受信するサーバ、および、携帯端末に関する。
【背景技術】
【０００２】
たとえば、家庭、店舗、オフィスなどの施設をカメラや各種センサにより監視し、何らかの異常が生じた場合に、これを、上記施設の所有者や管理者の携帯端末に通知するようなシステムが実現されている。
【０００３】
たとえば、特開２００２−１５３９０号公報には、施設などに配置された監視装置から、画像データなどを制御サーバが受信すると、携帯端末に対して、メールにて、施設の異常を通知し、携帯端末が、インターネットを介して、画像データを含むコンテンツをダウンロードするようなシステムが開示されている。
【特許文献１】特開２００２−１５３９０号公報
【発明の開示】
【発明が解決しようとする課題】
【０００４】
上述したように、メールを利用する場合には、ユーザがいったんメールを受信して、そのメールを参照した上で、ユーザが携帯端末を操作して、サーバにアクセスする必要があり、ユーザによる手間がかかる上、メール受信から即座にサーバにアクセスしなければ、タイムリーに画像データを受け取ることができないという問題点があった。
【０００５】
或いは、ホームエージェントなどにサーバの位置を登録し、その位置の端末にサーバが画像データ等を送信し、タイムリーに画像を携帯端末に伝達することも考えられる。しかしながら、この場合には、種々の設備を新たに設置して、網を整備する必要があり、莫大なコストを要する。
【０００６】
本発明は、設備投資を最小限にし、また、電波資源を効率よく利用できるデータ通信方法、サーバおよび携帯端末を提供することを目的とする。
【課題を解決するための手段】
【０００７】
本発明の目的は、マルチキャスト可能な比較的帯域の小さな第１の網と、画像を含むデータを送受信するために比較的帯域の大きな第２の網を利用したデータ通信方法であって、携帯端末の位置情報を記憶する位置データベースを備えたデータセンタのサーバにおいて、定期的に、前記第１の網を介して、マルチキャストによって携帯端末を呼び出すステップと、前記携帯端末において、第１の網を介した呼び出しを受信すると、自己の位置を特定する情報を、前記第２の網を介して、前記サーバに送信するステップと、前記サーバにおいて、前記端末を特定する情報とともに、最新の端末の位置を、前記位置データベースに記憶するステップと、前記サーバにおいて、前記携帯端末に対して、データを送信する必要がある場合に、前記位置データベースを参照して、送信先の携帯端末の最新の位置を特定するステップと、前記データを、前記第２の網を介して送信するステップと、を備えたことを特徴とするデータ通信方法により達成される。
【０００８】
本発明によれば、位置確認の問い合わせのために比較的帯域の小さな第１の網を利用し、画像や音声などのデータを通信するために比較的大域の大きい第２の網を利用する。このように、機能に応じて別の網を利用することで、一つの網を共用するのに比べて、電波資源を効率よく利用することが可能となる。  
好ましい実施態様においては、前記第２の網には、携帯端末と無線通信するアクセスポイントが含まれ、さらに、アクセスポイントにおいて、前記携帯端末の位置を特定する情報とともに、前記アクセスポイントを特定する情報を、前記第２の網を介して、前記サーバに送信するステップを備える。
【０００９】
別の好ましい実施態様において、前記サーバにおいて、第１の網を介して、前記マルチキャストによって携帯端末にデータを取得させるための情報を送信するステップと、前記携帯端末において、前記第１の網を介して前記データを取得させるための情報を受信すると、データ取得要求を、前記第２の網を介して、前記サーバに送信するステップと、前記サーバにおいて、前記携帯端末において、前記データを、前記第２の網を介して送信するステップと、を有する。これにより、携帯端末にデータ取得の必要があった場合に、タイムリーにサーバにアクセスしてデータを取得することが可能となる。
【００１０】
また、好ましい実施態様においては、前記サーバが、画像データを記憶する画像データベースを備え、前記携帯端末と予め関連付けられた施設から、第２の網を介して、画像データを受信するステップと、前記画像データを前記画像データベースに記憶するステップと、前記位置データベースを参照して、前記画像データを送信した施設に関連付けられた携帯端末の最新の位置を特定するステップと、前記特定された位置に宛てて、前記画像データベースに記憶された画像データを、前記第２の網を介して送信するステップと、を備えている。
【００１１】
たとえば、第１の網として、ページャ網を利用することができる。また、第２の網として、ＩＰ網および／または携帯電話網を利用することができる。このように、既存の網を利用することで、設備投資などのコストを著しく削減することが可能となる。
【００１２】
また、本発明の目的は、マルチキャスト可能な比較的帯域が小さな第１の網、および、画像を含むデータを受信するための比較的帯域の大きな第２の網と通信可能な携帯端末であって、サーバからの前記第１の網を介したマルチキャストによる呼び出しを受信するマルチキャスト受信手段と、前記マルチキャスト受信手段による呼び出しに応答して、自己の位置を特定する情報を、前記第２の網を介して、前記サーバに送信する位置情報送信手段と、前記サーバから、前記位置を特定する情報に基づいて、第２の網を介して送信された前記データを受信するデータ受信手段と、を備えたことを特徴とする携帯端末によっても達成される。
【００１３】
好ましい実施態様においては、前記マルチキャスト受信手段が、前記第１の網を介して、前記サーバから、データを取得させるための情報を受信するように構成され、さらに、前記データ取得を求める情報の受信に応答して、データ取得要求を、前記第２の網を介して、前記サーバに送信するデータ取得要求送信手段を備えている。
【００１４】
さらに、本発明の目的は、マルチキャスト可能な比較的帯域が小さな第１の網、および、画像を含むデータを送受信するために比較的帯域の大きな第２の網と通信可能なサーバであって、定期的に、前記第１の網を介して、マルチキャストによって携帯端末を呼び出す端末呼び出し手段と、前記携帯端末から、第２の網を介して、当該携帯端末の位置を特定する情報を受信する位置情報受信手段と、前記受信した位置を特定する情報を記憶する位置データベースと、データを送信する必要がある場合に、前記位置データベースを参照して、送信先の携帯端末の最新の位置を特定する位置特定手段と、前記特定された位置に宛てて、前記データを、第２の網を介して送信するデータ送信手段と、を備えたことを特徴とするサーバによっても達成される。
【００１５】
好ましい実施態様においては、さらに、前記第１の網を介して、マルチキャストによって携帯端末に、データを取得させるための情報を送信する情報送信手段と、携帯端末からの前記第２の網を介したデータ取得要求を受信するデータ取得要求受信手段と、を備えている。
【００１６】
別の好ましい実施態様においては、さらに、画像データを記憶する画像データベースと、前記携帯端末と予め関連付けられた施設から、第２の網を介して画像データを受信し、画像データベースに格納する画像データ受信手段とを備え、前記画像データ受信手段により画像データが受信されると、前記位置特定手段が、関連する携帯端末の最新の位置を特定し、前記データ送信手段が、前記特定された位置に宛てて、前記画像データを、前記第２の網を介して送信する。
【発明の効果】
【００１７】
本発明によれば、設備投資を最小限にし、また、電波資源を効率よく利用できるデータ通信方法、サーバおよび携帯端末を提供することが可能となる。
【発明を実施するための最良の形態】
【００１８】
以下、添付図面を参照して、本発明の実施の形態について説明する。図１は、本実施の形態にかかるデータ通信システムの概略を示すブロックダイヤグラムである。本実施の形態においては、家庭、店舗、オフィスに配置された監視カメラ、家電製品、センサの情報が、遠隔装置１２から、ＩＰ網１０を介して、データセンタ１４に送信されるようになっている。また、データセンタ１４と携帯端末１６との間は、ＩＰ網１０、および、ページャ網１１にてデータ通信可能となっている。携帯端末は、ＩＰ網１０に接続されたアクセスポイント１５を介して、ＩＰ網１０にデータを送出し、或いは、ＩＰ網１０を通ったデータを受信することが可能である。データセンタ１４においては、携帯端末を特定する端末ＩＤは、当該携帯端末のユーザが監視したい施設を特定する情報（たとえば、施設ＩＤ）と、予め関連付けられて記憶されている。なお、上記実施の形態においては、ＩＰ網１０が利用されているが、携帯電話網であっても良い。
【００１９】
図２（ａ）は、本実施の形態にかかる携帯端末のブロックダイヤグラムである。図２（ａ）に示すように、携帯端末１６は、ページャ網１１を介したデータ通信を制御するページャ網通信部１８と、ＩＰ網１０を介したデータ通信を制御するＩＰ通信部２０とを有する。また、携帯端末１８は、後述するように、ＩＰ網１０を介して受信した音声や画像（コンテンツ）をユーザに提示するための画像処理部２２および音声処理部２４を有する。ＩＰ通信部２０は、携帯端末１６を、いわゆるＩＰ電話として機能させるために必要な処理を実行し、また、音声処理部２４は、ＩＰ網１０を介して送信された音声パケットを処理することもできる。
【００２０】
図２（ｂ）は、本実施の形態にかかる遠隔装置１２の構成を示すブロックダイヤグラムである。図２（ｂ）に示すように、遠隔装置１２は、ＣＣＤカメラ４０からの映像信号をキャプチャする画像キャプチャ部２６と、ＣＣＤカメラ４０を制御し、或いは、センサ４２、家電製品４４、電源装置４６などに必要な指示を与えるとともに、これらからの信号を受信する制御部２８と、画像データなどを一時的に記憶する記憶部３０と、ＩＰ網１０との間のデータ通信を制御するＩＰ通信部３２とを有する。なお、家電装置には、ドアフォンや、いわゆる送受話器なども含まれる。
【００２１】
図３は、データセンタ１４のサーバ５０の構成を示すブロックダイヤグラムである。図３に示すように、データセンタ１４のサーバ５０は、携帯端末１６の位置を登録する位置登録部５２、携帯端末１６の位置情報を記憶する位置データベース（ＤＢ）５４、ＩＰ網を介して遠隔装置から伝達された画像データを含む種々の情報を記憶する画像ＤＢ５６、画像ＤＢ５６中の画像データなどに基づいて、携帯端末に送信すべきコンテンツを生成するコンテンツ生成部５８、ページャ網１１を介した通信を制御するページャ網通信部６０、並びに、ＩＰ網１０を介したデータ通信を制御するＩＰ通信部６２を有している。
【００２２】
このように構成されたデータ通信システムにおける、遠隔装置１２、データセンタ１４のサーバ５０および携帯端末１６における処理、および、これらの間で実行される処理について説明する。
【００２３】
図４は、本実施の形態にかかる携帯端末１６の位置登録の際に実行される処理を示すフローチャートである。図４に示すように、サーバ５０のページャ網通信部６０は、ページャ網１１を利用して、携帯端末１４のために、位置確認依頼情報に対応するＣＡＬＬＩＮＧ（呼び出し）を、所定の帯域を利用して同報通信（マルチキャスト）にて発信する（ステップ４００）。なお、サーバ５０によるＣＡＬＬＩＮＧは、所定の時間間隔で繰り返し実行される。
【００２４】
携帯端末１６のページャ網通信部１８がＣＡＬＬＩＮＧを受信すると（ステップ４０１）、ＩＰ通信部２０は、位置確認返信データを生成して、携帯端末１６との接続が確立されているアクセスポイント１５に対して、生成された位置確認返信データを送信する（ステップ４０２）。この位置確認返信データには、予めデータセンタ１４に登録されている端末ＩＤが含まれる。
【００２５】
アクセスポイント１５は、位置確認返信データを受信すると、端末ＩＤ、当該端末に付されているＩＰアドレス、アクセスポイント自身を示す情報、および、現在時刻を示すタイムスタンプを含む位置登録依頼データを生成し、これを、ＩＰ網１０を介して、データセンタ１４のサーバ５０に送信する（ステップ４０４，４０５）。
【００２６】
サーバ５０のＩＰ通信部６２が位置登録依頼データを受信すると、位置登録部５２が、受信したデータに基づいて、位置ＤＢ５４の該当レコードに、必要なデータを記憶する位置登録処理を実行する（ステップ４０６）。図５は、位置ＤＢ５４のデータ構造を示す図、図６は、位置登録処理のフローチャートである。
【００２７】
図５に示すように、位置ＤＢ５４のレコード（たとえば、符号５０１，５０２）には、項目として、端末ＩＤ、端末に付されたＩＰアドレス、アクセスポイント（ＡＰ）情報、タイムスタンプが含まれる。位置登録部５２は、位置登録依頼データ中の端末ＩＤをキーとして、位置ＤＢ５４を検索して（ステップ６０１）、当該端末ＩＤを含むレコードが存在するか否かを判断する（ステップ６０２）。レコードが存在しない場合（ステップ６０２でノー(No)）には、位置登録依頼データに含まれる、端末ＩＤ，端末ＩＤのＩＰアドレス、ＡＰ情報、およびタイムスタンプを項目の値として含むレコードが、位置ＤＢ５４中に新たに作成される（ステップ６０３）。
【００２８】
その一方、ステップ６０２においてイエス(Yes)と判断された場合には、そのレコード中、タイムスタンプを参照して、最新の、端末ＩＤ、ＩＰアドレス、ＡＰ情報の組を特定し、これらの値と、位置登録依頼データ中の値とを比較して、値（実際には、端末ＩＤ以外の値）に変化があったか否かが判断される（ステップ６０４）。ステップ６０４でイエス(Yes)と判断された場合には、そのレコードに、ＩＰアドレス、ＡＰ情報、タイムスタンプの組を追加する（ステップ６０５）。たとえば、図５において、携帯端末が移動して、新たなＡＰの管轄下に入った場合には、ＩＰアドレスやＡＰ情報が変化している。そのため、これらの値とタイムスタンプとを追加すればよい。このようにして、携帯端末の状態（ＩＰアドレスや管轄するＡＰ）が変化した場合に、その変化後の情報が、位置ＤＢ５４の該当レコードに追加される。
【００２９】
次に、遠隔装置１１からデータが、データセンタ１４のサーバ５０に送られた際に実行される処理について、図７を参照して説明する。
【００３０】
センサ４２などが作動して信号が制御部２８に伝達されると（ステップ７０１）、ＣＣＤカメラ４０が撮影した画像を、画像キャプチャ部２６が取り込み、画像データを生成する（ステップ７０２）。制御部２８は必要に応じて、電源装置４６を制御して、ＣＣＤカメラ４０の撮影領域周辺の照明をオンしてもよい。なお、センサ４２は、ドア、窓などに配置され、ドアや窓が開けられた場合に作動するようなものであってもよいし、室内や厨房設備に配置され、所定の温度を超えた場合に作動する温度センサであっても良い。生成された画像データやセンサの情報は、記憶部３０に記憶され、また、施設を特定する情報を付加されて、ＩＰ通信部２０からＩＰ網１０を介して、データセンタ１４のサーバ５０に送信される（ステップ７０３）。
【００３１】
データセンタ１４のサーバ５０は、画像データを受信すると、これを画像ＤＢ５６に記憶する（ステップ７０４）。サーバ５０のＩＰ通信部６２は、受信した画像データに付加された施設を特定する情報に関連付けられた端末ＩＤを特定し、端末ＩＤをキーとして、位置ＤＢ５４を検索する（ステップ７０５）。位置ＤＢから、端末ＩＤを含むレコードが特定されると、当該レコード中、もっともタイムスタンプが新しい、ＩＰアドレス、ＡＰ情報の組を見出され、これにより、携帯端末１６の位置が特定される（ステップ７０６）。
【００３２】
コンテンツ生成部５８は、画像ＤＢ５６中の画像データに基づき、必要なコンテンツを生成する（ステップ７０６）。コンテンツには、画像およびどのセンサが作動したかを示す情報などが含まれる。或いは、コンテンツにセンサの作動状況を示す音声が付加されていても良い。ＩＰ通信部６２は、コンテンツを、ステップ７０６にて特定された位置（ＩＰアドレス等）宛に、ＩＰ網１０を介して送信する（ステップ７０８）。携帯端末１６は、ＩＰ網１０およびアクセスポイント１５を介して送信されたコンテンツを受信し、処理を施してユーザに提示する（ステップ７０９）。たとえば、画像処理部２２は、受信した画像データに基づく画像を表示装置（図示せず）に表示させる。また、音声データが含まれていれば、音声処理部２４が、当該音声データに基づく音声を、スピーカ（図示せず）から出力させる。
【００３３】
ユーザは、表示された画像や再生された音声から、必要に応じて、携帯端末１６を操作して、携帯端末１６から、ＩＰ網１０を介して、遠隔装置１２を遠隔制御することができる。たとえば、ＣＣＤカメラ４０のパンニングや画像の撮影、所望の位置の電灯のオン／オフ、家電製品の制御（たとえば、ドアフォンや送受話器のオン）などが可能である。
【００３４】
このように、本実施の形態によれば、ページャ網における定期的なＣＡＬＬＩＮＧ（呼び出し）に応答して、携帯端末１４が、ＩＰ網を介して、当該携帯端末１４の位置情報をデータセンタ１４に登録する。これにより、簡易に、また、携帯電話が移動して管轄するアクセスポイントが変更された場合であっても、携帯端末の位置を把握することができる。    
また、本実施の形態において、マルチキャスト用に、帯域の狭いページャ網を利用し、実際のデータ送信などには、比較的帯域の広いＩＰ網を利用している。これにより、ＩＰ網においてマルチキャストを多用することによるトラヒックの増大を抑制することが可能となる。
【００３５】
図８に示すような手法で、サーバ５０から携帯端末１６にコンテンツが伝達されても良い。なお、遠隔装置１１からデータがサーバ５０に送信されて、コンテンツが生成されるまでは、図７のステップ７０１〜７０７と同様である。
【００３６】
コンテンツが生成されると、サーバ５０においては、ページャ網通信部６０が起動して、ページャ網１１を利用して、携帯端末１４のために、コンテンツ取得を要求させるための情報（コンテンツ通知情報）を含むＣＡＬＬＩＮＧ（呼び出し）を、所定の帯域を利用して同報通信にて発信する（ステップ８００）。携帯端末１６のページャ網通信部１８は、ページャ網１１を介して、コンテンツ通知情報を含むＣＡＬＬＩＮＧを受信すると（ステップ８０１）、ＩＰ通信部２０が起動し、サーバ５０に対して、コンテンツ取得要求を送信する（ステップ８０２）。コンテンツ取得要求は、当該携帯端末１６との接続が確立されているアクセスポイント１５およびＩＰ網１０を介してサーバ５０に伝達される（ステップ８０３）。サーバ５０のＩＰ通信部６２は、コンテンツ取得要求に応じて、生成されたコンテンツを、特定された端末の位置に宛てて送信する（ステップ８０４）。送信されたコンテンツは、ＩＰ網１０およびアクセスポイント１５を介して、携帯端末１４に受信される（ステップ８０５）。これにより、携帯端末において、受信されたコンテンツが提示される（ステップ８０６）。
【００３７】
本発明は、以上の実施の形態に限定されることなく、特許請求の範囲に記載された発明の範囲内で、種々の変更が可能であり、それらも本発明の範囲内に包含されるものであることは言うまでもない。
【００３８】
たとえば、前記実施の形態において、ＣＡＬＬＩＮＧ（呼び出し）をマルチキャストするためにページャ網を利用しているが、これに限定されるものではなく、他の網を利用しても良い。なお、これはデータ通信に利用する網とは別個であり、かつ、帯域はデータ通信に利用する網よりも十分に小さくてよい。
【００３９】
また、前記実施の形態において、遠隔装置からのＣＣＤカメラによる画像およびセンサの作動状態に基づくコンテンツが生成されているが、これに限定されるものではない。
【００４０】
さらに、前記実施の形態において、コンテンツはＩＰ網１０を介して携帯端末に伝達されているが、これに限定されるものではなく、携帯電話網を介しても良いし、或いは、ＩＰ網および形態電話網の双方を介して、携帯端末に伝達されても良い。
【００４１】
また、前記実施の形態においては、ページャ網を利用して、サーバが定期的にマルチキャストで携帯端末を呼び出し、携帯端末の位置が変更されても、途切れることなくコンテンツが、携帯端末の位置に宛てて送信できるように構成されている。しかしながら、このような構成に限定されず、コンテンツの送信の際に、当該コンテンツを送信すべき携帯端末を呼び出し、当該携帯端末の位置を特定して、そこに宛ててコンテンツを送信しても良い。
【００４２】
図９は、このような他の実施形態におけるサーバから携帯端末へのコンテンツ伝達の処理を示すフローチャートである。この実施形態において、図９の処理は、遠隔装置１２からの画像データ等がサーバ５０に受信されたことに応答して実行される。
【００４３】
図９に示すように、サーバ５０のページャ網通信部６０は、ページャ網１１を利用して、携帯端末１４のために、位置確認依頼情報に対応するＣＡＬＬＩＮＧ（呼び出し）を、所定の帯域を利用して同報通信（マルチキャスト）にて発信する（ステップ９００）。この呼び出しには、図８の例と同様に、コンテンツ通知情報が含まれる。
【００４４】
携帯端末１６のページャ網通信部１８がＣＡＬＬＩＮＧを受信すると（ステップ９０１）、携帯端末１６は、位置確認返信データおよびコンテンツ取得要求を生成して、ＩＰ通信部２０が、接続が確立されているアクセスポイント１５に送信する。アクセスポイント１５は、位置確認返信データおよびコンテンツ取得要求を受信すると（ステップ９０３）、端末ＩＤ、当該端末に付されているＩＰアドレス、アクセスポイント自身を示す情報、および、現在時刻を示すタイムスタンプを含む位置登録依頼データを生成し、位置登録依頼データとコンテンツ取得要求を、ＩＰ網１０を介して、データセンタ１４のサーバ５０に送信する（ステップ９０４，９０５）。
【００４５】
サーバ５０に位置登録依頼データおよびコンテンツ取得要求が受信されると、位置登録依頼データに基づいて、携帯端末１４の位置が特定される（ステップ９０６）。なお、位置登録依頼データの値を、位置登録処理（図６参照）によって位置ＤＢ５４に登録しても良いことはいうまでも無い。
【００４６】
コンテンツ生成部５８は、画像データを含む所定のコンテンツを生成し、ＩＰ通信部６２が、これを特定された位置に宛てて送信する（ステップ９０７）。これにより、コンテンツが、ＩＰ網１０およびアクセスポイント１５を介して、携帯端末１４に伝達される（ステップ９０８）。これにより、携帯端末において、コンテンツが提示される（ステップ９０９）。
【００４７】
この例では、コンテンツの受信中に携帯端末１４が移動すると、コンテンツの受信が途切れる可能性はあるが、サーバ５０によるページャ網１１を用いた呼び出しの回数を減らすことができ、サーバ５０の処理負荷を著しく小さくすることができるとともに、ページャ網１１における通信量も著しく削減することができる。
【図面の簡単な説明】
【００４８】
【図１】図１は、本実施の形態にかかるデータ通信システムの概略を示すブロックダイヤグラムである。
【図２】図２（ａ）は、本実施の形態にかかる携帯端末のブロックダイヤグラム、図２（ｂ）は、本実施の形態にかかる遠隔装置の構成を示すブロックダイヤグラムである。
【図３】図３は、本実施の形態にかかるデータセンタのサーバの構成を示すブロックダイヤグラムである。
【図４】図４は、本実施の形態にかかる携帯端末の位置登録の際に実行される処理を示すふろーチャートである。
【図５】図５は、本実施の形態にかかる位置ＤＢのデータ構造を示す図である。
【図６】図６は、本実施の形態にかかる位置登録処理のフローチャートである
【図７】図７は、本実施の形態にかかる遠隔装置からデータが、データセンタのサーバに送られた際に実行される処理の例を示すフローチャートである。
【図８】図８は、遠隔装置からデータが、データセンタのサーバに送られた際に実行される処理の他の例を示すフローチャートである。
【図９】図９は、他の実施形態におけるサーバから携帯端末へのコンテンツ伝達の処理を示すフローチャートである。
【符号の説明】
【００４９】
１０      ＩＰ網
１１      ページャ網
１２      遠隔装置
１４      データセンタ
１５      アクセスポイント
１６      携帯端末
１８      ページャ網通信部
２０      ＩＰ通信部
２２      画像処理部
２４      音声処理部
５０      サーバ
５２      位置登録部
５４      位置ＤＢ
５６      画像ＤＢ
５８      コンテンツ生成部
６０      ページャ網通信部
６２      ＩＰ通信部
【図１】
2006094063.tif 000003
【図２】
2006094063.tif 000004
【図３】
2006094063.tif 000005
【図４】
2006094063.tif 000006
【図５】
2006094063.tif 000007
【図６】
2006094063.tif 000008
【図７】
2006094063.tif 000009
【図８】
2006094063.tif 000010
【図９】
2006094063.tif 000011